【手続補正書】
【提出日】平成23年9月14日(2011.9.14)
【手続補正１】
【補正対象書類名】特許請求の範囲
【補正対象項目名】全文
【補正方法】変更
【補正の内容】
【特許請求の範囲】
【請求項１】
ユーザの位置を示す位置情報、当該位置情報が得られた時刻情報、および当該ユーザのユーザ識別情報を含むポイントデータであって、複数のユーザについての複数の時刻にわたる当該ポイントデータを入力する入力部と、
入力された前記ポイントデータを２次元地図データ上にプロットした場合の当該ポイントデータの分布状況に基づいて、所定基準以上に前記ポイントデータが密集しているエリアを、前記複数のユーザが頻繁に出没する出没エリアとして抽出する出没エリア抽出部と、
抽出された出没エリア情報を保存する保存部と、
を備え、
前記出没エリア抽出部は、
前記ポイントデータの分布状況として、前記入力された全ユーザのポイントデータの密度、前記入力された全ユーザのポイントデータ同士の距離、又は、前記入力された全ユーザ毎のポイントデータ同士の距離を求め、前記全ユーザのポイントデータの密度、前記全ユーザのポイントデータ同士の距離、又は、前記全ユーザ毎のポイントデータ同士の距離と、所定基準とに基づいて、前記ポイントデータが密集しているエリアを、前記出没エリアとして抽出する、
ことを特徴とする位置情報分析装置。
【請求項２】
前記出没エリア抽出部は、
前記２次元地図データ上で予め複数に区域分けされた各区域における、前記入力された全ユーザのポイントデータの密度を算出する全ユーザ密度算出部と、
算出された全ユーザのポイントデータの密度が所定の基準値以上であるエリアを、前記出没エリアとして抽出する第１の抽出部と、
を含むことを特徴とする請求項１記載の位置情報分析装置。
【請求項３】
前記出没エリア抽出部は、
前記入力された全ユーザのポイントデータを前記２次元地図データ上にプロットした場合の前記ポイントデータ同士の距離を求め、求めた距離が所定の基準距離以下となるポイントデータをグループ化するグループ化部と、
グループ化された複数のポイントデータを前記２次元地図データ上で包含するエリアを、前記出没エリアとして抽出する第２の抽出部と、
を含むことを特徴とする請求項１記載の位置情報分析装置。
【請求項４】
前記出没エリア抽出部は、
前記入力された全ユーザのポイントデータをユーザ毎に分類する分類部と、
分類されたユーザ毎のポイントデータについて、前記２次元地図データ上で予め複数に区域分けされた各区域における当該ユーザ毎のポイントデータの密度を算出するユーザ毎密度算出部と、
算出された各区域におけるユーザ毎のポイントデータの密度を各区域について合算することで、各区域における全ユーザのポイントデータの密度を求める合算部と、
求められた全ユーザのポイントデータの密度が所定の基準値以上であるエリアを、前記出没エリアとして抽出する第３の抽出部と、
を含むことを特徴とする請求項１記載の位置情報分析装置。
【請求項５】
前記出没エリア抽出部は、
前記入力された全ユーザのポイントデータをユーザ毎に分類する分類部と、
分類されたユーザ毎のポイントデータを前記２次元地図データ上にプロットした場合の前記ポイントデータ同士の距離を求め、求めた距離が所定の基準距離以下となるポイントデータをユーザ毎にグループ化するユーザ毎グループ化部と、
ユーザ毎にグループ化された複数のポイントデータを前記２次元地図データ上で包含するエリアを、全ユーザについて前記２次元地図データ上で重ね合わせる重ね合わせ部と、
前記重ね合わせにより得られたエリアを、前記出没エリアとして抽出する第４の抽出部と、
を含むことを特徴とする請求項１記載の位置情報分析装置。
【請求項６】
前記位置情報分析装置は、
前記入力された全ユーザのポイントデータをユーザ毎に分類し、前記２次元地図データ上でユーザ毎のポイントデータと前記抽出された出没エリアとを結合する結合部と、
前記結合で得られた前記２次元地図データ上で前記ユーザ毎のポイントデータと前記出没エリアとを結合したデータにて、前記出没エリアに対する前記ユーザ毎のポイントデータの相対的な位置関係の時系列的な遷移に基づいて、出没エリア間の移動履歴情報をユーザ毎に求める移動履歴導出部と、
ユーザ毎の出没エリア間の移動履歴情報を全ユーザについて統合し、得られた全ユーザについての出没エリア間の移動履歴情報に基づいて、全ユーザに関する出没エリア間の移動量情報を求める移動量導出部と、
をさらに備え、
前記保存部は、前記全ユーザに関する出没エリア間の移動量情報、をさらに保存する、
ことを特徴とする請求項１〜５の何れか１項に記載の位置情報分析装置。
【請求項７】
前記位置情報分析装置は、
前記入力された全ユーザのポイントデータをユーザ毎に分類し、前記２次元地図データ上でユーザ毎のポイントデータと前記抽出された出没エリアとを結合する結合部と、
前記結合で得られた前記２次元地図データ上で前記ユーザ毎のポイントデータと前記出没エリアとを結合したデータにて、各出没エリア内に位置する前記ユーザ毎のポイントデータの時刻情報に基づいて、各出没エリアについての前記ユーザ毎の滞在時間を求める滞在時間導出部と、
求めた各出没エリアにおけるユーザ毎の滞在時間情報を全ユーザについて統合し、得られた全ユーザについての滞在時間情報に基づいて、全ユーザについての出没エリア毎の滞在時間に関する所定の統計値を求める滞在時間統計値導出部と、
をさらに備え、
前記保存部は、前記全ユーザについての出没エリア毎の滞在時間に関する所定の統計値、をさらに保存する、
ことを特徴とする請求項１〜５の何れか１項に記載の位置情報分析装置。
【請求項８】
前記位置情報分析装置は、
外部から入力された又は予め記憶されたユーザ毎の住所情報を含んだ属性データ、および、前記滞在時間導出部により求められた各出没エリアにおける前記ユーザ毎の滞在時間に基づいて、あるユーザについて、前記住所情報に該当する出没エリアの滞在時間を自宅での滞在時間とし、当該自宅での滞在時間を除外した時間帯を当該ユーザについての行動時間帯とすることで、各ユーザについて前記行動時間帯を求め、出没エリア毎に各ユーザについての行動時間帯の情報を統合することで前記出没エリア毎の全ユーザ行動時間帯に関する情報を求める行動時間帯導出部、
をさらに備え、
前記保存部は、前記出没エリア毎の全ユーザ行動時間帯に関する情報、をさらに保存する、
ことを特徴とする請求項７に記載の位置情報分析装置。
【請求項９】
前記保存部により保存された情報を読み出す読出し部と、
読み出された情報を出力する出力部と、
をさらに備える請求項１〜８の何れか１項に記載の位置情報分析装置。
【請求項１０】
位置情報分析装置において実行される位置情報分析方法であって、
位置情報分析装置が、ユーザの位置を示す位置情報、当該位置情報が得られた時刻情報、および当該ユーザのユーザ識別情報を含むポイントデータであって、複数のユーザについての複数の時刻にわたる当該ポイントデータを、前記位置情報分析装置に入力する入力ステップと、
位置情報分析装置が、入力された前記ポイントデータを２次元地図データ上にプロットした場合の当該ポイントデータの分布状況に基づいて、所定基準以上に前記ポイントデータが密集しているエリアを、前記複数のユーザが頻繁に出没する出没エリアとして抽出する出没エリア抽出ステップと、
位置情報分析装置が、抽出された出没エリア情報を保存する保存ステップと、
を備え、
前記出没エリア抽出ステップでは、
位置情報分析装置は、前記ポイントデータの分布状況として、前記入力された全ユーザのポイントデータの密度、前記入力された全ユーザのポイントデータ同士の距離、又は、前記入力された全ユーザ毎のポイントデータ同士の距離を求め、前記全ユーザのポイントデータの密度、前記全ユーザのポイントデータ同士の距離、又は、前記全ユーザ毎のポイントデータ同士の距離と、所定基準とに基づいて、前記ポイントデータが密集しているエリアを、前記出没エリアとして抽出する、
ことを特徴とする位置情報分析方法。
【手続補正２】
【補正対象書類名】明細書
【補正対象項目名】０００８
【補正方法】変更
【補正の内容】
【０００８】
本発明に係る位置情報分析装置は、ユーザの位置を示す位置情報、当該位置情報が得られた時刻情報、および当該ユーザのユーザ識別情報を含むポイントデータであって、複数のユーザについての複数の時刻にわたる当該ポイントデータを入力する入力部と、入力された前記ポイントデータを２次元地図データ上にプロットした場合の当該ポイントデータの分布状況に基づいて、所定基準以上に前記ポイントデータが密集しているエリアを、前記複数のユーザが頻繁に出没する出没エリアとして抽出する出没エリア抽出部と、抽出された出没エリア情報を保存する保存部と、を備え、前記出没エリア抽出部は、前記ポイントデータの分布状況として、前記入力された全ユーザのポイントデータの密度、前記入力された全ユーザのポイントデータ同士の距離、又は、前記入力された全ユーザ毎のポイントデータ同士の距離を求め、前記全ユーザのポイントデータの密度、前記全ユーザのポイントデータ同士の距離、又は、前記全ユーザ毎のポイントデータ同士の距離と、所定基準とに基づいて、前記ポイントデータが密集しているエリアを、前記出没エリアとして抽出する、ことを特徴とする。
【手続補正３】
【補正対象書類名】明細書
【補正対象項目名】００２１
【補正方法】変更
【補正の内容】
【００２１】
本発明に係る位置情報分析方法は、位置情報分析装置において実行される位置情報分析方法であって、位置情報分析装置が、ユーザの位置を示す位置情報、当該位置情報が得られた時刻情報、および当該ユーザのユーザ識別情報を含むポイントデータであって、複数のユーザについての複数の時刻にわたる当該ポイントデータを、前記位置情報分析装置に入力する入力ステップと、位置情報分析装置が、入力された前記ポイントデータを２次元地図データ上にプロットした場合の当該ポイントデータの分布状況に基づいて、所定基準以上に前記ポイントデータが密集しているエリアを、前記複数のユーザが頻繁に出没する出没エリアとして抽出する出没エリア抽出ステップと、位置情報分析装置が、抽出された出没エリア情報を保存する保存ステップと、を備え、前記出没エリア抽出ステップでは、位置情報分析装置は、前記ポイントデータの分布状況として、前記入力された全ユーザのポイントデータの密度、前記入力された全ユーザのポイントデータ同士の距離、又は、前記入力された全ユーザ毎のポイントデータ同士の距離を求め、前記全ユーザのポイントデータの密度、前記全ユーザのポイントデータ同士の距離、又は、前記全ユーザ毎のポイントデータ同士の距離と、所定基準とに基づいて、前記ポイントデータが密集しているエリアを、前記出没エリアとして抽出する、ことを特徴とする。